(57)【特許請求の範囲】
【請求項１】
スタジオを照射する主光源、前記主光源の調光を制御する調光制御手段、及び前記主光源に対する調光制御の情報を含む調光データを作成する調光データ作成手段を有する調光システムと、
演出用光源、前記演出用光源の点灯を制御する点灯制御手段、及び前記演出用光源に対する点灯制御の情報を含む演出情報データを作成する演出情報データ作成手段を有する演出用光源システムと、
前記主光源及び前記演出用光源が取り付けられるバトン、前記バトンの昇降を制御する昇降制御手段、並びに前記バトンに対する昇降制御の情報を含む昇降データを作成する昇降データ作成手段を有する昇降システムと
を複数の前記スタジオの各々に備えるとともに、
前記調光システム、前記演出用光源システム及び前記昇降システムのそれぞれとネットワークを介して接続し、前記調光システムから前記調光データを受信し、前記演出用光源システムから前記演出情報データを受信し、前記昇降システムから前記昇降データを受信する受信手段、並びに前記受信手段によって受信された前記調光データ、前記演出情報データ及び前記昇降データを、送信元が存在するスタジオのスタジオ名を少なくとも含む属性情報ごとに記憶する記憶手段を有するデータベースサーバを備え、
前記記憶手段に記憶されている前記調光データ、前記演出情報データ及び前記昇降データは、互いに異なる規格であって、各々が前記属性情報を制御情報とともに含み、
前記データベースサーバは、前記属性情報を用いた配信要求を前記調光システムから受信すると、当該配信要求の当該属性情報を含んで前記記憶手段に記憶されている前記調光データを当該調光システムに送信し、前記配信要求を前記演出用光源システムから受信すると、当該配信要求の当該属性情報を含んで前記記憶手段に記憶されている前記演出情報データを当該演出用光源システムに送信し、前記配信要求を前記昇降システムから受信すると、当該配信要求の当該属性情報を含んで前記記憶手段に記憶されている前記昇降データを当該昇降システムに送信する手段を有し、
前記調光システムは、前記配信要求を前記データベースサーバへ行い、当該配信要求の当該属性情報を含む前記調光データを前記データベースサーバから受信する手段を有し、
前記演出用光源システムは、前記配信要求を前記データベースサーバへ行い、当該配信要求の当該属性情報を含む前記演出情報データを前記データベースサーバから受信する手段を有し、
前記昇降システムは、前記配信要求を前記データベースサーバへ行い、当該配信要求の当該属性情報を含む前記昇降データを前記データベースサーバから受信する手段を有する
ことを特徴とするネットワークシステム。
【請求項２】
前記スタジオごとに前記調光システム、前記演出用光源システム及び前記昇降システムと前記データベースサーバとを中継する中継サーバを備えることを特徴とする請求項１記載のネットワークシステム。
【請求項３】
前記データベースサーバが、前記受信手段によって受信された前記調光データ、前記演出情報データ及び前記昇降データに前記属性情報を付与する付与手段、及び前記属性情報を用いて、前記記憶手段に記憶されている前記調光データ、前記演出情報データ及び前記昇降データから特定のデータを選択する選択手段を有することを特徴とする請求項１又は２記載のネットワークシステム。
【請求項４】
前記調光システム、前記演出用光源システム及び前記昇降システムのそれぞれが、前記記憶手段に記憶され自己に対応するデータを受信させるための受信操作、及び自己で作成されたデータを前記記憶手段に記憶させるための保存操作を可能とする設定手段を有することを特徴とする請求項１〜３のいずれか記載のネットワークシステム。
【請求項５】
前記記憶手段に記憶されているデータを受信させるための受信操作、並びに前記調光システム、前記演出用光源システム及び前記昇降システムのそれぞれで作成されたデータを前記記憶手段に記憶させるための保存操作を可能とする情報端末機を備えることを特徴とする請求項１〜３のいずれか記載のネットワークシステム。
【発明の詳細な説明】
【技術分野】
【０００１】
本発明は、例えばテレビ局などのスタジオで用いられるネットワークシステムに関するものである。
【背景技術】
【０００２】
スタジオでの番組収録では、例えばカメラや音響（マイク）、照明などの事前設定が行われる。特に照明に関しては、照明シーン（場面）ごとに主光源（スポットライトなど）及び演出用光源（ＬＥＤなど）の明るさや照射方向、並びに主光源及び演出用光源が取り付けられたバトンの位置や高さの設定が行われる。番組の内容によって異なるが、例えばニュースや天気予報、バラエティなどは照明シーンの種類が比較的少なく、これらの照明シーンを切り替えるのみで番組の照明を制御することができるので、照明シーンの事前設定を短時間で行うことができる。これに対して、例えば音楽番組や特別番組など、照明の効果を多用する番組では、多種類の照明シーンを切り替えることによって番組の照明を制御するので、照明シーンの事前設定に長い時間を必要とする。
【０００３】
従来の、番組の照明を制御するものとして、主光源の調光を制御する調光システム、ＬＥＤの点灯を制御するＬＥＤシステム（演出用光源システム）及びバトンの昇降を制御する昇降システムがある。調光システム、ＬＥＤシステム及び昇降システムは、それぞれ独立してスタジオに設置され、互いに異なる規格に基づいて主光源、ＬＥＤ及びバトンを制御する。
【０００４】
また、調光システムは、主光源に対する制御情報を含む調光データを、内部の記憶部又は外部媒体（例えばフロッピー（登録商標）ディスクなど）に記憶することによって管理する。記憶されている調光データは、調光システムによって読み出される。同様に、ＬＥＤシステムは、ＬＥＤに対する制御情報を含む演出情報データを、内部の記憶部又は外部媒体に記憶することによって管理する。記憶されている演出情報データは、ＬＥＤシステムによって読み出される。昇降システムは、バトンに対する制御情報を含む昇降データを、内部の記憶部又は外部媒体に記憶することによって管理する。記憶されている昇降データは、昇降システムによって読み出される。
【０００５】
例えば毎週放送される番組などの場合、毎回ほぼ同じ主光源やＬＥＤ、バトンの事前設定が行われる。この場合、調光システムが調光データを読み出し、ＬＥＤシステムが演出情報データを読み出し、昇降システムが昇降データを読み出す。これにより、過去に収録した照明シーンを再利用することができる。
【０００６】
また、特許文献１には、データベースサーバで作成された調光データがインターネット及び移動体通信網を介して照明器具に送信され、照明器具が上記調光データに基づいて調光する照明制御システムが開示されている。
【特許文献１】特開２００５−２１６５３４号公報（第１２〜２０頁及び第１，２図）
【発明の開示】
【発明が解決しようとする課題】
【０００７】
しかしながら、従来の調光システム、演出用光源システム及び昇降システムは、同じ照明シーンでの調光データ、演出情報データ及び昇降データを関連付けることなく独立のデータとして保存している。これにより、調光データ、演出情報データ及び昇降データの管理が煩雑になってしまうという問題があった。また、各システムが自己のデータを読み出したときに、ユーザの操作ミスによって、いずれかのシステムから、誤ったデータが読み出されてしまうと、どのデータが誤っているのか容易に判断することができないという問題があった。
【０００８】
本発明は上記の点に鑑みて為されたものであり、その目的とするところは、調光データ、演出情報データ及び昇降データの管理を容易に行うことができるネットワークシステムを提供することにある。
【課題を解決するための手段】
【０００９】
請求項１に記載の発明は、スタジオを照射する主光源、前記主光源の調光を制御する調光制御手段、及び前記主光源に対する調光制御の情報を含む調光データを作成する調光データ作成手段を有する調光システムと、演出用光源、前記演出用光源の点灯を制御する点灯制御手段、及び前記演出用光源に対する点灯制御の情報を含む演出情報データを作成する演出情報データ作成手段を有する演出用光源システムと、前記主光源及び前記演出用光源が取り付けられるバトン、前記バトンの昇降を制御する昇降制御手段、並びに前記バトンに対する昇降制御の情報を含む昇降データを作成する昇降データ作成手段を有する昇降システムとを複数の前記スタジオの各々に備えるとともに、前記調光システム、前記演出用光源システム及び前記昇降システムのそれぞれとネットワークを介して接続し、前記調光システムから前記調光データを受信し、前記演出用光源システムから前記演出情報データを受信し、前記昇降システムから前記昇降データを受信する受信手段、並びに前記受信手段によって受信された前記調光データ、前記演出情報データ及び前記昇降データを、送信元が存在するスタジオのスタジオ名を少なくとも含む属性情報ごとに記憶する記憶手段を有するデータベースサーバを備え、前記記憶手段に記憶されている前記調光データ、前記演出情報データ及び前記昇降データは、互いに異なる規格であって、各々が前記属性情報を制御情報とともに含み、前記データベースサーバは、前記属性情報を用いた配信要求を前記調光システムから受信すると、当該配信要求の当該属性情報を含んで前記記憶手段に記憶されている前記調光データを当該調光システムに送信し、前記配信要求を前記演出用光源システムから受信すると、当該配信要求の当該属性情報を含んで前記記憶手段に記憶されている前記演出情報データを当該演出用光源システムに送信し、前記配信要求を前記昇降システムから受信すると、当該配信要求の当該属性情報を含んで前記記憶手段に記憶されている前記昇降データを当該昇降システムに送信する手段を有し、前記調光システムは、前記配信要求を前記データベースサーバへ行い、当該配信要求の当該属性情報を含む前記調光データを前記データベースサーバから受信する手段を有し、前記演出用光源システムは、前記配信要求を前記データベースサーバへ行い、当該配信要求の当該属性情報を含む前記演出情報データを前記データベースサーバから受信する手段を有し、前記昇降システムは、前記配信要求を前記データベースサーバへ行い、当該配信要求の当該属性情報を含む前記昇降データを前記データベースサーバから受信する手段を有することを特徴とする。
【００１０】
この構成によれば、データベースサーバが調光データ、演出情報データ及び昇降データを、予め決められた範囲ごとに一括に記憶することができるので、調光データ、演出情報データ及び昇降データの管理を容易に行うことができる。また、この構成によれば、過去に収録が行われて記憶手段に記憶されている調光データ、演出情報データ及び昇降データを呼び出すことによって、過去の収録の仕込み状況を再現することができ、再利用することができる。
【００１１】
請求項２に記載の発明は、請求項１に記載の発明において、前記スタジオごとに前記調光システム、前記演出用光源システム及び前記昇降システムと前記データベースサーバとを中継する中継サーバを備えることを特徴とする。この構成によれば、調光システム、演出用光源システム、昇降システム及び中継サーバがスタジオごとに設けられた場合であっても、データベースサーバが各スタジオからの調光データ、演出情報データ及び昇降データを、中継サーバを介して受信することができるので、複数のスタジオで作成された調光データ、演出情報データ及び昇降データの管理を容易に行うことができる。
【００１２】
請求項３に記載の発明は、請求項１又は２に記載の発明において、前記データベースサーバが、前記調光データ、演出情報データ及び前記昇降データに前記属性情報を付与する付与手段、及び前記属性情報を用いて、前記記憶手段に記憶されている前記調光データ、前記演出情報データ及び前記昇降データから特定のデータを選択する選択手段を有することを特徴とする。この構成によれば、属性情報を用いて希望のデータを容易に選択することができる。
【００１４】
請求項４に記載の発明は、請求項１〜３のいずれかに記載の発明において、前記調光システム、前記演出用光源システム及び前記昇降システムのそれぞれが、前記記憶手段に記憶され自己に対応するデータを受信させるための受信操作、及び自己で作成されたデータを前記記憶手段に記憶させるための保存操作を可能とする設定手段を有することを特徴とする。この構成によれば、調光システムの設置場所から調光データの取り込み及び保存を設定することができるとともに、演出用光源システムの設置場所から演出情報データの取り込み及び保存を設定することができ、昇降システムの設置場所から昇降データの取り込み及び保存を設定することができる。
【００１５】
請求項５に記載の発明は、請求項１〜３のいずれかに記載の発明において、前記記憶手段に記憶されているデータを受信させるための受信操作、並びに前記調光システム、前記演出用光源システム及び前記昇降システムのそれぞれで作成されたデータを前記記憶手段に記憶させるための保存操作を可能とする情報端末機を備えることを特徴とする。この構成によれば、調光システムや演出用光源システム、昇降システムの操作方法を知らない者であっても、情報端末機を用いて上記操作を容易に行うことができる。
【発明の効果】
【００１６】
本発明によれば、調光データ、演出情報データ及び昇降データの管理を容易に行うことができる。
【発明を実施するための最良の形態】
【００１７】
（実施形態１）
本発明の実施形態１について図１〜７を用いて説明する。図１は、実施形態１のネットワークシステムの構成を示す図である。図２〜７は、実施形態１のネットワークシステムの動作を説明するための図である。
【００１８】
まず、実施形態１の基本的な構成について説明する。実施形態１のネットワークシステムは、テレビ局のスタジオに構築されているものであり、図１に示すように、調光システム１と、ＬＥＤシステム（演出用光源システム）２と、昇降システム３と、スタジオサーバ４とを備えている。調光システム１、ＬＥＤシステム２、昇降システム３及びスタジオサーバ４は、互いにネットワーク５を介して接続している。
【００１９】
ネットワーク５としてはイーサネット（登録商標）を用いる。また、通信プロトコルとしては、ＴＣＰ／ＩＰ（Ｔｒａｎｓｍｉｓｓｉｏｎ  Ｃｏｎｔｏｒｏｌ  Ｐｒｏｔｏｃｏｌ／Ｉｎｔｅｒｎｅｔ  Ｐｒｏｔｏｃｏｌ）及びＨＴＴＰ（ＨｙｐｅｒＴｅｘｔ  Ｔｒａｎｓｆｅｒ  Ｐｒｏｔｏｃｏｌ）を用いる。ＨＴＴＰは、クライアントサーバ型の標準的なプロトコルである。これにより、双方向通信で、高速転送を行うことができる。また、例えば、無線ＬＡＮを利用した無線通信、セキュリティ機能、リモートコントロール、インターネット接続によるメール通知や外部への映像配信などのネットワーク技術の適用を可能とする。
【００２０】
調光システム１は、６つの照明器具１０・・・と、調光制御装置（調光卓）１１と、調光盤１２とを備えている。各照明器具１０は、主光源を備え、後述のバトン３０に取り付けられている。この照明器具１０は、調光盤１２からの印加電圧に応じて明るさを調整しながらスタジオ６（図２参照）を照射する。
【００２１】
調光制御装置１１は、設定部１１０と、データ入出力部１１１と、記憶部１１２と、出力部１１３と、制御部１１４とを備えている。設定部１１０は、ユーザがさまざまな設定操作を行うための操作部１１５と、例えばディスプレイなどであって設定項目を表示する表示部１１６とを備え、制御部１１４と接続している。この設定部１１０は、ユーザの設定操作に基づくコマンドを制御部１１４に出力する。設定部１１０での設定項目としては、例えば、後述のスタジオサーバ４の記憶部４２に記憶されている調光データの配信、各照明器具１０の明かりレベルの変更、調光データの再生、記憶部４２への調光データの保存、データ入出力部１１１の入出力インターフェースの変更などがある。調光データは、各照明器具１０に対する調光制御の情報を含むものである。
【００２２】
データ入出力部１１１は、スタジオサーバ４のＩＰアドレスを予め記憶し、制御部１１４及びハブ５０と接続している。このデータ入出力部１１１は、制御部１１４からの制御に基づいて、ハブ５０を介してスタジオサーバ４との間で調光データの送受信を行う。
【００２３】
記憶部１１２は、制御部１１４と接続し、制御部１１４からの調光データを複数記憶する。これにより、例えば１つの番組に複数の照明シーンを必要とする場合であっても、照明シーンごとの調光データを一括して記憶することができる。上記記憶部１１２は、例えばハードディスクなどのように電源がオフになっても調光データを消去しないものであってもよいし、例えばＲＡＭなどのように調光データを一時的に保持し、電源がオフになると上記調光データを消去するものであってもよい。
【００２４】
出力部１１３は、制御部１１４及び調光盤１２と接続し、制御部１１４からの制御に基づいて、各照明器具１０の明かりレベルの情報を含む調光信号を調光盤１２に送信する。この調光信号は、例えばＤＭＸ５１２など規格化された弱電系の制御信号である。
【００２５】
制御部１１４は、設定部１１０、データ入出力部１１１、記憶部１１２及び出力部１１３と接続している。この制御部１１４は、設定部１１０からコマンドを入力すると、入力したコマンドの内容に基づいて動作する。以下、設定部１１０からのコマンドに対する制御部１１４の動作を具体的に説明する。後述のスタジオサーバ４の記憶部４２に記憶されている調光データの配信に関するコマンドに対しては、スタジオサーバ４から調光データを受信するようにデータ入出力部１１１を制御する。また、各照明器具１０の明かりレベルの変更に関するコマンドに対しては、各照明器具１０を調光制御するように出力部１１３を制御する。調光データの再生に関するコマンドに対しては、調光データに基づいて各照明器具１０を調光制御するように出力部１１３を制御する。さらに、記憶部４２への調光データの保存に関するコマンドに対しては、スタジオサーバ４に調光データを送信するようにデータ入出力部１１１を制御する。また、制御部１１４は、調光データを照明シーンごとに作成する。
【００２６】
調光盤１２は、調光制御装置１１の出力部１１３及び各照明器具１０と接続している。この調光盤１２は、出力部１１３から調光信号を受信すると、各照明器具１０の明かりレベルに応じて各照明器具１０に印加する電圧を０Ｖ〜１００Ｖで調整して出力する。
【００２７】
ＬＥＤシステム２は、表示装置２０と、ＬＥＤ制御装置２１と、コントロールユニット２２とを備えている。このＬＥＤシステム２は、演出効果を行うものであって独自規格の制御システムである。例えば歌番組などでは、照明器具で全体を照らすだけではなく、複数のＬＥＤを並べ、その明かりによって演出効果を得る電飾と呼ばれる演出効果が利用されている。表示装置２０は、演出用光源として複数の発光ダイオード（以下「ＬＥＤ」という）を備え、各ＬＥＤの発光状態を変えることによって演出的表現を行う。これにより、番組の演出効果を高めることができる。各ＬＥＤは、電球と比較して発光の立ち上がりを早くすることができるとともに、低消費電力、長寿命を可能とする。また、赤、緑及び青の３色を利用すればフルカラーの演出を行うことができる。
【００２８】
ＬＥＤ制御装置２１は、設定部２１０と、データ入出力部２１１と、記憶部２１２と、出力部２１３と、制御部２１４とを備えている。設定部２１０は、ユーザがさまざまな設定操作を行うための操作部２１５と、例えばディスプレイなどであって設定項目を表示する表示部２１６とを備え、制御部２１４と接続している。この設定部２１０は、ユーザの設定操作に基づくコマンドを制御部２１４に出力する。設定部２１０での設定項目としては、例えば、後述のスタジオサーバ４の記憶部４２に記憶されているＬＥＤデータ（演出情報データ）の配信、表示装置２０の設定、ＬＥＤデータの再生、記憶部４２へのＬＥＤデータの保存、データ入出力部２１１の入出力インターフェースの変更などがある。ＬＥＤデータは、表示装置２０のＬＥＤに対する点灯制御の情報を含むものである。
【００２９】
データ入出力部２１１は、スタジオサーバ４のＩＰアドレスを予め記憶し、制御部２１４及びハブ５０と接続している。このデータ入出力部２１１は、制御部２１４からの制御に基づいて、ハブ５０を介してスタジオサーバ４との間でＬＥＤデータの送受信を行う。
【００３０】
記憶部２１２は、制御部２１４と接続し、制御部２１４からのＬＥＤデータを複数記憶する。これにより、例えば１つの番組中に複数の照明シーンを必要とする場合であっても、照明シーンごとのＬＥＤデータを一括して記憶することができる。上記記憶部２１２は、例えばハードディスクなどのように電源がオフになってもＬＥＤデータを消去しないものであってもよいし、例えばＲＡＭなどのようにＬＥＤデータを一時的に保持し、電源がオフになると上記ＬＥＤデータを消去するものであってもよい。
【００３１】
出力部２１３は、制御部２１４及びコントロールユニット２２と接続し、制御部２１４からの制御に基づいて、制御部２１４からのＬＥＤデータをコントロールユニット２２に送信する。この出力部２１３は、ＬＥＤデータをリアルタイムにコントロールユニット２２に送信する方法であってもよいし、ＬＥＤデータをコントロールユニット２２に事前に送信し、コントロールユニット２２で記憶されているＬＥＤデータを再生するためのキュー信号をコントロールユニット２２に送信する方法であってもよい。
【００３２】
制御部２１４は、設定部２１０、データ入出力部２１１、記憶部２１２及び出力部２１３と接続している。この制御部２１４は、設定部２１０からコマンドを入力すると、入力したコマンドの内容に基づいて動作する。以下、設定部２１０からのコマンドに対する制御部２１４の動作を具体的に説明する。後述のスタジオサーバ４の記憶部４２に記憶されているＬＥＤデータの配信に関するコマンドに対しては、スタジオサーバ４からＬＥＤデータを受信するようにデータ入出力部２１１を制御する。また、表示装置２０の設定に関するコマンドに対しては、表示装置２０の各ＬＥＤを点灯制御するように出力部２１３を制御する。ＬＥＤデータの再生に関するコマンドに対しては、ＬＥＤデータに基づいて表示装置２０のＬＥＤを点灯制御するように出力部２１３を制御する。さらに、記憶部４２へのＬＥＤデータの保存に関するコマンドに対しては、スタジオサーバ４にＬＥＤデータを送信するようにデータ入出力部２１１を制御する。また、制御部２１４は、ＬＥＤデータを照明シーンごとに作成する。
【００３３】
コントロールユニット２２は、ＬＥＤ制御装置２１の出力部２１３及び表示装置２０と接続している。このコントロールユニット２２は、出力部２１３からＬＥＤデータを受信すると、表示装置２０の各ＬＥＤに対し、オン信号やオフ信号、調光制御信号を送信する。
【００３４】
昇降システム３は、バトン３０と、昇降制御装置（昇降制御盤）３１とを備えている。
【００３５】
バトン３０は、各照明器具１０を吊り下げ、表示装置２０を設け、上部に設置された後述のモータ３１３による昇降によって高さが調整されるものである。このバトン３０は、番組収録時にスタジオ内に設置されるセット（大道具）にあたらないように、上下位置が設定され、各照明器具１０の明るさの調整によって番組収録に必要な明るさを確保するために、高さが調整される。
【００３６】
昇降制御装置３１は、設定部３１０と、データ入出力部３１１と、記憶部３１２と、モータ３１３と、制御部３１４とを備えている。設定部３１０は、ユーザがさまざまな設定操作を行うための操作部３１５と、例えばディスプレイなどであって設定項目を表示する表示部３１６とを備え、制御部３１４と接続している。この設定部３１０は、ユーザの設定操作に基づくコマンドを制御部３１４に出力する。設定部３１０での設定項目としては、例えば、後述のスタジオサーバ４の記憶部４２に記憶されている昇降データの配信、バトン３０上昇、下降及び停止、昇降データの再生、記憶部４２への昇降データの保存、データ入出力部３１１の入出力インターフェースの変更などがある。昇降データは、バトン３０に対する昇降制御の情報を含むものである。
【００３７】
データ入出力部３１１は、スタジオサーバ４のＩＰアドレスを予め記憶し、制御部３１４及びハブ５０と接続している。このデータ入出力部３１１は、制御部３１４からの制御に基づいて、ハブ５０を介してスタジオサーバ４との間で昇降データの送受信を行う。
【００３８】
記憶部３１２は、制御部３１４と接続し、制御部３１４からの昇降データを複数記憶する。これにより、例えば１つの番組中に複数の照明シーンを必要とする場合であっても、照明シーンごとの昇降データを一括して記憶することができる。上記記憶部３１２は、例えばハードディスクなどのように電源がオフになっても昇降データを消去しないものであってもよいし、例えばＲＡＭなどのように昇降データを一時的に保持し、電源がオフになると上記昇降データを消去するものであってもよい。
【００３９】
モータ３１３は、制御部３１４及びバトン３０と接続し、制御部３１４による電源のオンオフ及び回転方向の制御によって、ローラ（図示せず）を回転し、バトン３０を吊っているワイヤ３１７を巻き取ることによってバトン３０を昇降させる駆動装置である。
【００４０】
制御部３１４は、設定部３１０、データ入出力部３１１、記憶部３１２及びモータ３１３と接続している。この制御部３１４は、設定部３１０からコマンドを入力すると、入力したコマンドの内容に基づいて動作する。以下、設定部３１０からのコマンドに対する制御部３１４の動作を具体的に説明する。昇降データの受信に関するコマンドに対しては、スタジオサーバ４から昇降データを受信するようにデータ入出力部３１１を制御する。また、バトン３０の昇降レベルの変更に関するコマンドに対しては、モータ３１３の電源のオンオフ及びモータ３１３の回転方向を制御することによってバトン３０の昇降を制御する。昇降データの再生に関するコマンドに対しては、昇降データに基づいてバトン３０の昇降を制御するようにモータ３１３を制御する。さらに、スタジオサーバ４への昇降データの保存に関するコマンドに対しては、スタジオサーバ４に昇降データを送信するようにデータ入出力部３１１を制御する。また、制御部３１４は、昇降データを照明シーンごとに作成する。
【００４１】
スタジオサーバ４は、設定部４０と、データ入出力部４１と、記憶部４２と、制御部４３とを備えるデータベースサーバである。設定部４０は、ユーザがさまざまな設定操作を行うための操作部４００と、例えばディスプレイなどであってユーザのために設定項目を表示する表示部４０１とを備え、制御部４３と接続している。この設定部４０は、ユーザの設定操作に基づくコマンドを制御部４３に出力する。設定部４０での設定項目としては、調光制御装置１１からの調光データ、ＬＥＤ制御装置２１からのＬＥＤデータ、及び昇降制御装置３１からの昇降データの記憶部４２での保存、記憶部４２に記憶されている調光データ、ＬＥＤデータ及び昇降データの配信、番組データの検索、番組データの複製などがある。
【００４２】
データ入出力部４１は、制御部４３と接続しているとともに、調光制御装置１１、ＬＥＤ制御装置２１及び昇降制御装置３１のそれぞれとネットワーク５を介して接続している。このデータ入出力部４１は、制御部４３からの制御に基づいて、調光制御装置１１から調光データを受信し、ＬＥＤ制御装置２１からＬＥＤデータを受信し、昇降制御装置３１から昇降データを受信する。また、データ入出力部４１は、制御部４３からの制御に基づいて、記憶部４２に記憶されている調光データを調光制御装置１１に送信し、記憶部４２に記憶されているＬＥＤデータをＬＥＤ制御装置２１に送信し、記憶部４２に記憶されている昇降データを昇降制御装置３１に送信する。このとき、調光データ、ＬＥＤデータ及び昇降データは、それぞれ異なるＴＣＰのポートによって識別されるようにしている。これにより、装置ごとに別接続とすることができるので、例えば調光制御装置１１との間で調光データの転送を行っているときに、昇降制御装置３１から保存要求信号を受信しても対応することができ、調光データ及び昇降データの両方を同時に受信することができる。
【００４３】
記憶部４２は、制御部４３と接続し、制御部４３からの制御に基づいて、データ入出力部４１から受信された調光データ、ＬＥＤデータ及び昇降データを、番組ごとに一括して番組データ（アーカイブ）として記憶する（図２参照）。この記憶部４２は、例えばハードディスクなどのように電源がオフになっても番組データを消去しないものである。
【００４４】
制御部４３は、設定部４０、データ入出力部４１及び記憶部４２と接続している。この制御部４３は、設定部４０からのコマンドを入力すると、入力したコマンドの内容に基づいて動作する。以下、設定部４０からのコマンドに対する制御部４３の動作を具体的に説明する。調光データ、ＬＥＤデータ及び昇降データの保存に関するコマンドに対しては、調光制御装置１１、ＬＥＤ制御装置２１及び昇降制御装置３１から調光データ、ＬＥＤデータ及び昇降データを受信するようにデータ入出力部４１を制御する。また、調光データ、ＬＥＤデータ及び昇降データの配信に関するコマンドに対しては、記憶部４２に記憶されている調光データ、ＬＥＤデータ及び昇降データを調光制御装置１１、ＬＥＤ制御装置２１及び昇降制御装置３１に送信するようにデータ入出力部４１を制御する。
【００４５】
また、制御部４３は、調光データ、ＬＥＤデータ及び昇降データを受信すると、上記調光データ、ＬＥＤデータ及び昇降データを番組ごとに一括して番組データとし、各番組データに属性情報を付与する（図３参照）。属性情報としては、例えば番組名や収録日付、作業時間、作業グループ名、作業者名、コメントなどである。上記制御部４３は、上記属性情報による番組データのソートを可能とする。また、制御部４３は、上記属性情報を用いて、記憶部４２に記憶されている番組データから特定の番組データを選択することを可能とする。これにより、複数の番組データを属性情報で管理することができ、利用したい番組データを容易に検索することができる。
【００４６】
次に、番組収録が終了した時点で、調光制御装置１１の調光データをスタジオサーバ４に保存する方法について説明する。保存のタイミングを番組収録が終了した時点としているのは、収録途中で保存すると、その後修正などが発生すると再度保存しなければならないためである。まず、調光制御装置１１の設定部１１０で保存操作が行われた場合について図４を用いて説明する。最初に、調光制御装置１１の制御部１１４は、スタジオサーバ４への調光データの保存に関するコマンドを設定部１１０から入力すると、スタジオサーバ４に保存要求信号を送信し、スタジオサーバ４の保存状態を確認する（図４のｔ１，ｔ３）。スタジオサーバ４の制御部４３は、上記保存要求信号を受信すると、拒否信号又は保存許可信号を調光制御装置１１に送信する（ｔ２，ｔ４）。続いて、制御部１１４は、上記保存許可信号を受信すると、記憶部１１２に記憶されている調光データをスタジオサーバ４に送信する（ｔ５）。１つの調光データが１回の送信で終了しない場合は、複数回に分けて送信する。このとき、制御部４３は、調光制御装置１１からの調光データを受信するごとに、応答確認信号であるＡＣＫ信号を調光制御装置１１に送信する（ｔ６）。制御部１１４は、上記ＡＣＫ信号を受信することによって、調光データの送信が正常に終了したことを確認する。これに対して、制御部１１４は、所定時間経過しても上記ＡＣＫ信号を受信しないことがある。ＡＣＫ信号を受信しない理由としては、調光制御装置１１から送信された調光データが途中で破棄されてスタジオサーバ４に届かなかった場合（ｔ７）、又はスタジオサーバ４が調光データを受信したが、スタジオサーバ４から送信されたＡＣＫ信号が途中で破棄されて調光制御装置１１に届かなかった場合がある（ｔ９）。どちらの場合も、制御部１１４は、所定時間が経過した後、調光データをスタジオサーバ４に再送する（ｔ８，ｔ１０）。制御部４３は、再送された調光データを受信すると、ＡＣＫ信号を調光制御装置１１に送信する（ｔ１１）。これにより、調光制御装置１１とスタジオサーバ４の間におけるデータ通信の信頼性を高めることができる。制御部１１４は、すべての調光データを送信すると、データ転送終了信号をスタジオサーバ４に送信する（ｔ１２）。制御部４３は、上記データ転送終了信号を受信すると、了解信号を調光制御装置１１に送信する（ｔ１３）。
【００４７】
これに対して、スタジオサーバ４の設定部４０で保存操作が行われた場合について図５を用いて説明する。なお、調光制御装置１１が、ＬＥＤ制御装置２１及び昇降制御装置３１とともに、キープアライブ信号をスタジオサーバ４に定期的に送信している（図５のｔ１〜ｔ４）。まず、スタジオサーバ４の制御部４３は、スタジオサーバ４での調光データの保存に関するコマンドを設定部４０から入力すると、調光制御装置１１からのキープアライブ信号の返答信号にクライアントデータの保存要求コマンドを付加して調光制御装置１１に送信する（ｔ５，ｔ６）。調光制御装置１１の制御部１１４は、上記保存要求コマンドを受信すると、スタジオサーバ４から保存要求されたことを認識する。この後の動作については、調光制御装置１１の設定部１１０で保存操作が行われた場合と同様である（ｔ７、図４のｔ３〜ｔ１３）。
【００４８】
なお、ＬＥＤ制御装置２１のＬＥＤデータをスタジオサーバ４に保存する方法、及び昇降制御装置３１の昇降データをスタジオサーバ４に保存する方法は、設定部２１０，３１０で保存操作が行われた場合、設定部４０で保存操作が行われた場合ともに、上記調光制御装置１１の調光データをスタジオサーバ４に保存する方法と同様である。
【００４９】
続いて、スタジオサーバ４の記憶部４２に記憶されている調光データを調光制御装置１１に配信する方法について説明する。まず、スタジオサーバ４の設定部４０で配信操作が行われた場合について図６を用いて説明する。なお、調光制御装置１１が、ＬＥＤ制御装置２１及び昇降制御装置３１とともに、キープアライブ信号をスタジオサーバ４に定期的に送信している（図６のｔ１）。最初に、設定部４０において、配信したい番組データの検索が行われる。続いて、スタジオサーバ４の制御部４３は、設定部４０からコマンドを受信すると、調光制御装置１１からのキープアライブ信号の返信信号として、調光データを調光制御装置１１に配信するための配信要求コマンドを調光制御装置１１に送信する（ｔ２）。調光制御装置１１の制御部１１４は、上記配信要求コマンドを受信すると、調光データの配信許可又は非許可の判断をし、配信要求信号又は配信不許可信号をスタジオサーバ４に送信する（ｔ３）。その後、制御部４３は、上記配信要求信号を受信すると、ＡＣＫ信号の配信許可信号及び調光データを調光制御装置１１に送信する（ｔ４）。このとき、制御部４３は、記憶部４２に記憶されている調光データを送信する。制御部１１４は、上記調光データを受信すると、保持している調光データを消去し、受信した調光データに置き換えるとともに、ＡＣＫ信号をスタジオサーバ４に送信する（ｔ５）。このとき、制御部４３は、調光制御装置１１からのＡＣＫ信号を受信しながら調光データの送信を行う（ｔ６，ｔ７）。ここで、制御部４３は、所定時間経過しても上記ＡＣＫ信号を受信しないことがある。ＡＣＫ信号を受信しない理由としては、スタジオサーバ４から送信された調光データが途中で破棄されて調光制御装置１１に届かなかった場合（ｔ８）、又は調光制御装置１１が調光データを受信したが、調光制御装置１１から送信されたＡＣＫ信号が途中で破棄されてスタジオサーバ４に届かなかった場合がある（ｔ１０）。どちらの場合も、制御部４３は、所定時間が経過した後、調光データを調光制御装置１１に再送する（ｔ９，ｔ１１）。制御部１１４は、再送された調光データを受信すると、ＡＣＫ信号をスタジオサーバ４に送信する（ｔ１２）。これにより、調光制御装置１１とスタジオサーバ４の間におけるデータ通信の信頼性を高めることができる。制御部４３は、すべての調光データの配信を終了すると、データ転送終了信号を調光制御装置１１に送信する（ｔ１３）。制御部１１４は、上記データ転送終了信号を受信すると、調光データの転送が終了したことを認識し、了解信号をスタジオサーバ４に送信してデータ配信モードを終了する（ｔ１４）。制御部４３は、上記了解信号を受信すると、ＡＣＫ信号を調光制御装置１１に送信する（ｔ１５）。
【００５０】
これに対して、調光制御装置１１の設定部１１０で配信操作が行われた場合について図７を用いて説明する。まず、調光制御装置１１の制御部１１４は、設定部１１０からコマンドを受信すると、番組データリスト要求信号をスタジオサーバ４に送信する（図７のｔ１）。スタジオサーバ４の制御部４３は、上記番組データリスト要求信号を受信すると、番組データリストを作成して調光制御装置１１に送信する（ｔ２）。制御部１１４は、上記番組データリストを受信すると、設定部１１０の画面に表示してユーザが選択できるようにする。その後、制御部１１４は、設定部１１０で選択された番組データの配信要求信号をスタジオサーバ４に送信する（ｔ３）。この後の動作については、スタジオサーバ４の設定部４０で保存操作が行われた場合と同様である（図６のｔ４〜ｔ１５）。
【００５１】
以上、実施形態１によれば、スタジオサーバ４が調光データ、ＬＥＤデータ及び昇降データを照明シーンごとに一括に記憶することができるので、調光データ、ＬＥＤデータ及び昇降データの管理を容易に行うことができる。また、属性情報を用いて希望のアーカイブを容易に選択することができる。さらに、過去に収録が行われて記憶部４２に記憶されている調光データ、ＬＥＤデータ及び昇降データを呼び出すことによって、過去の収録の仕込み状況を再現することができ、再利用することができる。
【００５２】
上記に追加して、調光システム１の設置場所から調光データの取り込み及び保存を設定することができるとともに、ＬＥＤシステム２の設置場所からＬＥＤデータの取り込み及び保存を設定することができ、昇降システム３の設置場所から昇降データの取り込み及び保存を設定することができる。また、ネットワーク５のプロトコルとしてＨＴＴＰを用いているので、パソコンなどの情報端末機をネットワーク５に接続し、情報端末機のブラウザを立ち上げると、この情報端末機からスタジオサーバ４の情報を容易に閲覧することができる。
【００５３】
（実施形態２）
本発明の実施形態２について説明する。
【００５４】
実施形態２のネットワークシステムは、図１に示すように、調光システム１と、ＬＥＤシステム２と、昇降システム３と、スタジオサーバ４とを、実施形態１のネットワークシステムと同様に備えているが、実施形態１のネットワークシステムにはない以下に記載の特徴部分を有する。
実施形態２の調光制御装置１１の制御部１１４は、実施形態１の調光制御装置とは異なり、スタジオサーバ４から調光データを受信すると、記憶部１１２に対して、既に保持している調光データを消去しないで、受信した調光データを新たに記憶させるように制御する。また、実施形態２のＬＥＤ制御装置２１の制御部２１４は、スタジオサーバ４からＬＥＤデータを受信すると、記憶部２１２に対して、受信時に保持しているＬＥＤデータを消去しないで、受信したＬＥＤデータを記憶させるように制御する。さらに、実施形態２の昇降制御装置３１の制御部３１４は、スタジオサーバ４から昇降データを受信すると、記憶部３１２に対して、受信時に保持している昇降データを消去しないで、受信した昇降データを記憶させるように制御する。
【００５５】
以上、実施形態２によれば、記憶部１１２によって、既に保持している調光データと異なる領域にスタジオサーバ４からの調光データを保存することができるので、制御部１１４によって、受信後に、いずれの調光データも必要に応じて読み出して利用することができる。また、記憶部２１２によって、既に保持しているＬＥＤデータと異なる領域にスタジオサーバ４からのＬＥＤデータを保存することができるので、制御部２１４によって、受信後に、いずれのＬＥＤデータも読み出して利用することができる。さらに、記憶部３１２によって、既に保持している昇降データと異なる領域にスタジオサーバ４からの昇降データを保存することができるので、制御部３１４によって、受信後に、いずれの昇降データも必要に応じて読み出して利用することができる。
【００５６】
（実施形態３）
本発明の実施形態３について説明する。
【００５７】
実施形態３のネットワークシステムは、図１に示すように、調光システム１と、ＬＥＤシステム２と、昇降システム３と、スタジオサーバ４とを、実施形態１のネットワークシステムと同様に備えているが、実施形態１のネットワークシステムにはない以下に記載の特徴部分を有する。
【００５８】
実施形態３の調光システム１、ＬＥＤシステム２及び昇降システム３とスタジオサーバ４との間の通信プロトコルとして、ＨＴＴＰに代えて、ＦＴＰ（Ｆｉｌｅ  Ｔｒａｎｓｆｅｒ  Ｐｒｏｔｏｃｏｌ）を用いる。スタジオサーバ４側にはＦＴＰサーバのプログラムが実装され、調光制御装置１１、ＬＥＤ制御装置２１及び昇降制御装置３１側にはクライアントのプログラムが実装される。ＦＴＰは、パソコン通信で汎用的に使用されているプロトコルである。特に、ＷＥＢのホームページからのファイルのダウンロードなどで利用されている。
【００５９】
以上、実施形態３によれば、ＦＴＰのプログラムを比較的簡単に実装することができるとともに、信頼性が高い。また、インターネットを利用してリモートからアクセスすることも可能である。
【００６０】
（実施形態４）
本発明の実施形態４について説明する。
【００６１】
実施形態４のネットワークシステムは、図１に示すように、調光システム１と、ＬＥＤシステム２と、昇降システム３と、スタジオサーバ４とを、実施形態１のネットワークシステムと同様に備えているが、実施形態１のネットワークシステムにはない以下に記載の特徴部分を有する。
【００６２】
実施形態４の調光システム１、ＬＥＤシステム２及び昇降システム３とスタジオサーバ４とは、実施形態１のようなクライアントサーバの関係ではなく、対等の関係である。実施形態４では、通信プロトコルとして、ＴＣＰに代えて、ＵＤＰ（Ｕｓｅｒ  Ｄａｔａｇｒａｍ  Ｐｒｏｔｏｃｏｌ）を用いる。
【００６３】
以上、実施形態４によれば、調光システム１、ＬＥＤシステム２及び昇降システム３とスタジオサーバ４とが対等な関係であるので、スタジオサーバ４で保存操作又は配信操作が行われた場合、キープアライブ信号のように要求コマンドの有無を確認する手順を必要とせず、どちらからでも要求信号を送信することができる。
【００６４】
（実施形態５）
本発明の実施形態５について図８，９を用いて説明する。図８は、実施形態５のネットワークシステムの構成を示すブロック図である。図９は、実施形態５のスタジオサーバでの属性情報の入力について説明する図である。
【００６５】
実施形態５のネットワークシステムは、図８に示すように、２つのスタジオ６ａ，６ｂのそれぞれに、調光システム１と、ＬＥＤシステム２と、昇降システム３と、スタジオサーバ４ａとを備え、スタジオサーバ４ａのそれぞれと接続するセンターサーバ７を備えている。
【００６６】
実施形態５の調光システム１、ＬＥＤシステム２及び昇降システム３は、調光データ、ＬＥＤデータ及び昇降データの保存先を、スタジオサーバ４ａではなく、センターサーバ７に設定されている。実施形態５の調光システム１は、入力する属性パラメータとして、スタジオ６ａ，６ｂを指定する項目が追加となる。スタジオ６ａ，６ｂは特定されるので、スタジオ６ａ，６ｂの選択として、プルダウンメニューのように、一定の選択肢からユーザが選択するものを用いている。なお、実施形態５の調光システム１、ＬＥＤシステム２及び昇降システム３は、上記以外の点で、実施形態１の調光システム、ＬＥＤシステム及び昇降システムと同様である。
【００６７】
実施形態５のスタジオサーバ４ａは、調光システム１、ＬＥＤシステム２及び昇降システム３とセンターサーバ７とを中継する中継サーバである。各スタジオサーバ４ａは、番組データを保存する記憶部を備えていない。しかし、スタジオサーバ４ａは、実施形態１のスタジオサーバ４（図１参照）と同様に、設定部において番組データの記憶操作や配信操作を可能とする。つまり、スタジオサーバ４ａは、コマンドの入力インターフェースとしてセンターサーバ７にコマンドを送信する。これにより、すべてのデータの記憶及び管理を行うセンターサーバ７への手順を統一することができる。また、スタジオ６ａ，６ｂにいる作業者が操作を行う場合、各スタジオ６ａ，６ｂに設置されたスタジオサーバ４ａから容易に操作することができる。
【００６８】
センターサーバ７は、テレビ局内であって、例えば２つのスタジオ６ａ，６ｂから離れた場所などに設置されたものであり、２つのスタジオ６ａ，６ｂでのすべての番組データを保存し、管理するデータベースサーバである。これにより、番組データの一貫性を保つことができる。もしスタジオサーバ４ａ，４ａのそれぞれに番組データを保存した場合、複数の保存場所が存在することによって番組データの一貫性が保つことができない。また、センターサーバ７は、番組データの記憶操作や配信操作が行われる設定部（図示せず）を備える。
【００６９】
また、センターサーバ７は、実施形態１のスタジオサーバ４（図１参照）と同様に、調光データ、ＬＥＤデータ及び昇降データを受信すると、上記調光データ、ＬＥＤデータ及び昇降データを番組ごとに一括して番組データとし、図９に示すように、各番組データに属性情報を付与する。属性情報としては、例えばスタジオ名や番組名、収録日付、作業時間、作業グループ名、作業者名、コメントなどである。ここで、スタジオ６ａ，６ｂは特定されるので、スタジオ６ａ，６ｂの選択として、プルダウンメニューのように、一定の選択肢からユーザが選択するものを用いている。上記センターサーバ７は、上記属性情報による番組データのソートを可能とする。また、センターサーバ７は、上記属性情報を用いて、記憶している番組データから特定の番組データを選択することを可能とする。これにより、複数の番組データを属性情報で管理することができ、利用したい番組データを容易に検索することができる。
【００７０】
次に、番組収録が終了した時点で、調光システム１の調光制御装置の調光データをセンターサーバ７に保存する方法について説明する。なお、センターサーバ７で保存操作が行われた場合の保存方法は、実施形態１のスタジオサーバ４で保存操作が行われた場合と同様である。まず、スタジオサーバ４ａで保存操作が行われた場合について説明する。最初に、ユーザが、スタジオサーバ４ａにおいて属性情報を指定する。スタジオサーバ４ａは、属性情報が指定されると、保存要求コマンドをセンターサーバ７に送信する。センターサーバ７は、上記保存要求コマンドを受信すると、上記センターサーバ７で保存操作が行われた場合と同様に動作する。
【００７１】
なお、調光システム１の調光制御装置で保存操作が行われた場合の保存方法は、保存先としてセンターサーバ７を指定する以外の動作は、実施形態１の調光システムで保存操作が行われた場合と同様である。
【００７２】
続いて、センターサーバ７に記憶されている調光データを調光システム１の調光制御装置に配信する方法について説明する。まず、スタジオサーバ４ａで配信操作が行われた場合について説明する。まず、スタジオサーバ４ａは、センターサーバ７にどのような番組データを記憶しているのかを確認するために、番組データリスト要求信号をセンターサーバ７に送信する。ユーザ操作としては、「リストの取得」ボタンなどで明示する。センターサーバ７は、上記番組データリスト要求信号を受信すると、番組データリストを作成してスタジオサーバ４ａに送信する。このとき、通常、上記スタジオサーバ４ａが設置されたスタジオ６ａ（６ｂ）に関する番組データリストが送信される。しかし、他のスタジオ６ｂ（６ａ）の番組データを使用したい場合も考えられるので、取得したいスタジオ６ａ，６ｂの選択肢を設けている。その後、スタジオサーバ４ａは、上記番組データリストを受信すると、番組データリストを画面に表示する。その後、ユーザは、表示された番組データリストに対して検索やソートなどを行い、配信したい番組データを選択し、「データの配信」ボタンを押下する。その後、スタジオサーバ４ａは、配信要求信号をセンターサーバ７に送信する。センターサーバ７は、上記配信要求信号を受信すると、要求された番組データの調光データをスタジオサーバ４ａに送信する。この後の動作については、実施形態１の調光制御装置１１で保存操作が行われた場合と同様である。
【００７３】
なお、センターサーバ７で配信操作が行われた場合の動作は、２つのスタジオ６ａ，６ｂをＩＰアドレスなどによって識別すること以外、実施形態１のスタジオサーバ４で配信操作が行われた場合と同様である。
【００７４】
以上、実施形態５によれば、調光システム１、ＬＥＤシステム２、昇降システム３及びスタジオサーバ４ａがスタジオ６ａ，６ｂごとに設けられた場合であっても、センターサーバ７が各スタジオ６ａ，６ｂからの調光データ、ＬＥＤデータ及び昇降データを、スタジオサーバ４ａを介して受信することができるので、２つのスタジオ６ａ，６ｂで作成された調光データ、ＬＥＤデータ及び昇降データの管理を容易に行うことができる。
【００７５】
また、２つのスタジオ６ａ，６ｂの番組データを管理しているので、スタジオ６ａ，６ｂ間の番組データの編集を行うことができる。例えば、過去の番組データを、他のスタジオ６ａ，６ｂで使用したい場合、スタジオ６ａ，６ｂ間での番組データのコピー操作によって、再利用することができる。また、スタジオ６ａ，６ｂ間での番組データの移動も行うことができる。さらに、時間情報によって、スタジオ６ａ，６ｂの稼働率や、作業者の勤務状態などの情報を取得することができる。テレビ局として一括でスタジオ６ａ，６ｂの管理ファイルを作成したい場合に、さまざまな観点からデータを処理して表示することができる。なお、「ドラマ」「バラエティ」「音楽」などの属性情報を付加することによって、どのような番組でどのスタジオ６ａ，６ｂが使用されているのか確認することができる。
【００７６】
なお、実施形態１〜５の変形例として、ユーザの設定操作を行う機能を、調光制御装置、ＬＥＤ制御装置及び昇降制御装置に代えて、調光制御装置、ＬＥＤ制御装置及び昇降制御装置に接続される情報端末機（例えばパソコンなど）が有するようにしてもよい。つまり、上記情報端末機は、スタジオサーバ又はセンターサーバに記憶されているデータを調光制御装置、ＬＥＤ制御装置及び昇降制御装置に受信させるための受信操作、並びに調光制御装置、ＬＥＤ制御装置及び昇降制御装置のそれぞれで作成されたデータをスタジオサーバ又はセンターサーバに記憶させるための保存操作を可能とする。このようにすると、調光システムやＬＥＤシステム、昇降システムの操作方法を知らない者であっても、情報端末機を用いて上記操作を容易に行うことができる。
【００７７】
また、実施形態１〜５の他の変形例として、調光システム、ＬＥＤシステム及び昇降システムとともに、マイクやスピーカなどの音声システム、ＳＥ（効果音）などの制御システム、スモークなどの演出システム、舞台装置などの制御システム、ムービングライトやレーザーなど、複雑な機構を持つ調光制御システム、蓄積された映像を表示するなどの映像表示システム、カメラ画像をモニタに表示する映像システムのうち少なくとも１つのシステムを備えてもよい。このような構成にすると、照明だけでなく番組全体のデータを一括して管理することができる。
【００７８】
さらに、実施形態１〜５の他の変形例として、演出用光源がＬＥＤに代わって、電球であってもよい。このような構成にしても、実施形態１〜５と同様の効果を得ることができる。
【００７９】
実施形態１〜５の他の変形例として、調光データ、ＬＥＤデータ及び昇降データを番組データとしてまとめて記憶するのではなく、各データを個別に記憶してもよい。このような構成にしても、調光データ、ＬＥＤデータ及び昇降データの管理を容易に行うことができる。また、属性情報を用いて希望のデータを容易に選択することができる。
【図面の簡単な説明】
【００８０】
【図１】本発明による実施形態１〜４のネットワークシステムの構成を示すブロック図である。
【図２】同上のネットワークシステムにおける調光データ、ＬＥＤデータ及び昇降データの伝送を説明する図である。
【図３】同上のスタジオサーバに記憶されている番組データの検索について説明する図である。
【図４】本発明による実施形態１の調光制御装置で調光データの保存操作が行われたた場合について説明する図である。
【図５】同上のスタジオサーバで調光データの保存操作が行われたた場合について説明する図である。
【図６】同上のスタジオサーバで調光データの配信操作が行われた場合について説明する図である。
【図７】同上の調光制御装置で調光データの配信操作が行われた場合について説明する図である。
【図８】本発明による実施形態５のネットワークシステムの構成を示すブロック図である。
【図９】同上のスタジオサーバでの属性情報の入力について説明する図である。
【符号の説明】
【００８１】
１  調光システム
１０  照明器具
１１  調光制御装置
２  ＬＥＤシステム
２０  表示装置
２１  ＬＥＤ制御装置
３  昇降システム
３０  バトン
３１  昇降制御装置
４  スタジオサーバ
５  ネットワーク
【図１】
0005127149.tif 000002
【図２】
0005127149.tif 000003
【図３】
0005127149.tif 000004
【図４】
0005127149.tif 000005
【図５】
0005127149.tif 000006
【図６】
0005127149.tif 000007
【図７】
0005127149.tif 000008
【図８】
0005127149.tif 000009
【図９】
0005127149.tif 000010